(57)【要約】      （修正有）【課題】スマートフォン等の携帯型端末を好適に支持することができる観賞補助具を提供する。【解決手段】観賞補助具Ａを、伸縮性を有したシート体を主体に構成され、携帯型端末Ｐの外周端縁ｅに装着されるとともに装着状態において内部に観賞空間を形成した筒状をなす補助具Ａ本体を備えたものとし、補助具Ａ本体が、装着状態において携帯型端末Ｐの外周端縁ｅと係わり合う端縁保持部１１と、開口端部１２とを備え、端縁保持部１１が、端縁保持部１１における収縮力を利用して携帯型端末Ｐの外周端縁ｅを支持するようにしている。【選択図】図１
2017021189.tif 000002
【特許請求の範囲】
【請求項１】
携帯型端末におけるディスプレイの前側に外部からの光の侵入が抑制された観賞空間を形成し、その観賞空間を介して前記ディスプレイに表示される画像を観賞するための観賞補助具であって、
伸縮性を有したシート体を主体に構成され、前記携帯型端末の外周端縁に装着されるとともに装着状態において内部に前記観賞空間を形成した筒状をなす補助具本体を備えたものであり、
前記補助具本体が、前記装着状態において前記携帯型端末の外周端縁と係わり合う端縁保持部と、前記画像を観賞する者の顔部が添接し得る開口端部とを備えており、
前記端縁保持部が、当該端縁保持部における収縮力を利用して前記携帯型端末の外周端縁を支持するようにしている観賞補助具。
【請求項２】
前記画像を拡大して観賞するためのレンズ、及び、このレンズを支持するレンズ支持体とを有したゴーグル部材を備えたものであり、
前記レンズ支持体が、前記補助具本体と同一のシート体を主体に構成されたものであり、且つ、前記補助具本体と一体に連続して形成されている請求項１記載の観賞補助具。
【請求項３】
前記シート体が、厚み寸法が５ｍｍ〜１２ｍｍの範囲に設定されたシート状をなす軟質ポリウレタンフォームにより作られている請求項１又は２記載の観賞補助具。
【発明の詳細な説明】
【技術分野】
【０００１】
本発明は、スマートフォンやタブレット型端末等の携帯型端末に取り付けて用いられる観賞補助具に関する。
【背景技術】
【０００２】
従来から、スマートフォンを保持しつつ外部よりも暗い観賞空間を形成し、当該スマートフォンから映し出された動画等の画像をあたかも映画館に居るような臨場感や没入感をもって観賞することができるようにした箱状のものが考えられている（例えば非特許文献１参照）。
【０００３】
この種のものは、ダンボール等の硬質の素材を箱状に組み立てることにより、所定の大きさのスマートフォンを保持することができるようになっている。換言すれば、従来のものは、特定の大きさのスマートフォンを保持することはできるが、大きさや形状の異なるその他のスマートフォンを適切に保持することができないものとなっていた。
【０００４】
従来のものは、ダンボール等の硬質の素材を用いている。このため、使用者がスマートフォンを自らの手で保持しているという触覚を得にくいものとなっている。換言すれば、従来のものは、使用者に対して、使用中にスマートフォンが外れて落下してしまうのではないかという不安を惹起しやすいものとなっていた。
【０００５】
従来のものは、ダンボール等の硬質の素材を用いている。このため、不使用時においても嵩張りやすく、気軽に持ち運びにくいものとなっていた。
【０００６】
以上の事情は、スマートフォンに限らず、タブレット型端末等の携帯型端末においても同様である。
【先行技術文献】
【特許文献】
【０００７】
【非特許文献１】”グーグルカードボード”、〔ｏｎｌｉｎｅ〕、〔平成２７年１月８日検索〕、インターネット（ＵＲＬ：ｈｔｔｐ：／／ｗｗｗ．ｇｏｏｇｌｅ．ｃｏｍ／ｇｅｔ／ｃａｒｄｂｏａｒｄ／）
【発明の概要】
【発明が解決しようとする課題】
【０００８】
本発明は、このような課題に着目してなされたものであって、スマートフォン等の携帯型端末を好適に支持することができる観賞補助具を提供することにある。
【課題を解決するための手段】
【０００９】
すなわち、本発明は次の構成をなしている。
【００１０】
請求項１に係る発明は、携帯型端末におけるディスプレイの前側に外部からの光の侵入が抑制された観賞空間を形成し、その観賞空間を介して前記ディスプレイに表示される画像を観賞するための観賞補助具であって、伸縮性を有したシート体を主体に構成され、前記携帯型端末の外周端縁に装着されるとともに装着状態において内部に前記観賞空間を形成した筒状をなす補助具本体を備えたものであり、前記補助具本体が、前記装着状態において前記携帯型端末の外周端縁と係わり合う端縁保持部と、前記装着状態において前記画像を観賞する者の顔部が添接し得る開口端部とを備えており、前記端縁保持部が、当該端縁保持部における収縮力を利用して前記携帯型端末の外周端縁を支持するようにしている観賞補助具である。
【００１１】
「携帯型端末」とは、携帯して使用可能な平板状の形状をなした電子計算機をいう。携帯型端末としては、例えば、スマートフォンやタブレット型端末等を挙げることができる。
【００１２】
「画像」とは、動画に限られるものではなく、静止画を含む概念である。
【００１３】
請求項２に係る発明は、前記画像を拡大して観賞するためのレンズ、及び、このレンズを支持するレンズ支持体とを有したゴーグル部材を備えたものであり、前記レンズ支持体が、前記補助具本体と同一のシート体を主体に構成されたものであり、且つ、前記補助具本体と一体に連続して形成されている請求項１記載の観賞補助具である。
【００１４】
請求項３に係る発明は、前記シート体が、厚み寸法が５ｍｍ〜１２ｍｍの範囲に設定されたシート状をなす軟質ポリウレタンフォームにより作られている請求項１又は２記載の観賞補助具である。
【発明の効果】
【００１５】
以上説明したように本発明によれば、少なくとも、スマートフォン等の携帯型端末を好適に支持することができる観賞補助具を提供することができるものとなる。
【図面の簡単な説明】
【００１６】
【図１】本発明の一実施形態を示す前方からみた斜視図。
【図２】同実施形態における後方からみた斜視図。
【図３】同実施形態における後方からみた斜視図。
【図４】同実施形態に対する携帯型端末の取り付けを説明するための概略正面図。
【図５】同実施形態における補助具本体及びレンズ支持体の展開図。
【図６】同実施形態の使用例を説明するための右側面図。
【図７】同実施形態における補助具本体及びレンズ支持体を容器に収容する一例を示すための斜視図。
【発明を実施するための形態】
【００１７】
以下、本発明の一実施形態を、図１〜７を参照して説明する。
【００１８】
この観賞補助具Ａは、携帯型端末であるスマートフォンＰにおけるディスプレイＤの前側に、外部からの光の侵入が抑制された外部よりも暗い観賞空間ｓｐを形成し、その観賞空間ｓｐを介してディスプレイＤに表示される動画等の画像（図示せず）を好適に観賞することができるようにしたものである。
【００１９】
観賞補助具Ａは、伸張性及び収縮性（伸縮性）を有したシート体を主体に構成されている。観賞補助具Ａは、内部に観賞空間ｓｐを形成した筒状の部位を主体とした補助具本体１を備えている。補助具本体１は、スマートフォンＰの外周端縁ｅに当該補助具本体１の収縮力を利用して装着されるとともに装着状態（Ｓ）において内部に観賞空間ｓｐが形成されている。
【００２０】
観賞補助具Ａは、画像を拡大して観賞するためのレンズ２１、及び、このレンズ２１を支持するレンズ支持体２２とを有したゴーグル部材２を備えている。ゴーグル部材２のレンズ支持体２２は、補助具本体１と同一のシート体を主体に構成されている。レンズ支持体２２は、補助具本体１と一体に連続して形成されている。換言すれば、補助具本体１とレンズ支持体２２とは、図５に示すように、一枚のシート体により連続した態様で作られている。
【００２１】
以下、この観賞補助具Ａを構成する補助具本体１、及び、ゴーグル部材２について詳述する。
【００２２】
補助具本体１及びレンズ支持体２２は、シート体を主体に構成されたものである。補助具本体１及びレンズ支持体２２を構成するシート体は、厚み寸法が５ｍｍ〜１２ｍｍの範囲に設定されたシート状をなす軟質ポリウレタンフォームにより作られている。なお、この実施形態では、厚み寸法が約９ｍｍに設定されている。シート体の素材である軟質ポリウレタンフォームは、連続気泡を含有する発泡体（連続気泡体）である。連続気泡を含有する発泡体は、独立気泡の発泡体（独立気泡体）と比較して、空気の流通性が確保されているため伸張性、収縮性、及び、伸張及び収縮した後の復帰性に優れたものとなっている。
【００２３】
上述したように、補助具本体１及びレンズ支持体２２を構成するシート体は、その厚み寸法が５ｍｍ〜１２ｍｍの範囲に設定されているものが好適である。
【００２４】
シート体の厚み寸法が５ｍｍ未満の範囲に設定されてしまうと、シート状の張りが得にくくなる。その結果、シート体が、観賞空間ｓｐを小さくする方向に撓んでしまい、好適な観賞空間ｓｐの形成に支障を来してしまう。シート体の厚み寸法が５ｍｍ以上の範囲に設定されているものであれば、所期の大きさの観賞空間ｓｐの形成を確保し得るシート状の張りを得ることができるものとなる。
【００２５】
一方、シート体の厚み寸法が１２ｍｍよりも大きな範囲に設定されてしまうと、収縮された際の反発力が過大になりやすいものとなる。詳しくは図７を参照しつつ後述する通り、例えば収納する際に、使用者等によって、補助具本体１及びレンズ支持体２２の全体が圧縮された場合に、過度な反発力が生じやすくなり、コンパクトに収納し難いものとなる。シート体の厚み寸法が１２ｍｍ以下に設定されているものであれば、補助具本体１及びレンズ支持体２２の全体が圧縮された場合に、過度な反発力が生じ難いものとなり、コンパクトに収納し得るものとなる。
【００２６】
図１及び図２では、スマートフォンＰに装着された状態である装着状態（Ｓ）の補助具本体１が示されており、図３では、スマートフォンＰに装着される前の状態である装着前状態（Ｔ）の補助具本体１が示されている。また、図４は、装着前状態（Ｔ）の補助具本体１に対してスマートフォンＰを装着し、装着前状態（Ｔ）から装着状態（Ｓ）に切り換わる過程の補助具本体１が模式的に示されている。
【００２７】
補助具本体１は、スマートフォンＰに装着された状態である装着状態（Ｓ）においてスマートフォンＰの外周端縁ｅと係わり合う端縁保持部１１と、画像を観賞する者Ｈの顔部が添接し得る開口端部１２とを備えている。
【００２８】
補助具本体１は、装着前状態（Ｔ）及び装着状態（Ｓ）において、筒状をなしている。補助具本体１は、図５に示すように、一枚のシート体により製造されるものである。補助具本体１は、使用者等に提供される段階では、両面テープ、金属製や樹脂製の止着具、又は、熱溶着や縫着、その他適宜の方法を用いて、所定の部位同士（図５における左右両端部同士）が接着されている。そして、補助具本体１は、観賞空間ｓｐが形成された筒状の状態をなしている。補助具本体１は、観賞空間ｓｐの下側に位置する下壁ｗ１と、この下壁ｗ１の左右端部から上方に延設され前記観賞空間ｓｐの左右側に位置する左右の側壁ｗ２と、これら左右の側壁ｗ２の上端部間に設けられ前記観賞空間ｓｐの上側に位置する上壁ｗ３とを備えている。そして、補助具本体１は、下壁ｗ１、左右の側壁ｗ２、及び、上壁ｗ３の前側の端部に端縁保持部１１が設けられているとともに後側の端部に開口端部１２が設けられている。補助具本体１における内法寸法は、開口端部１２側から端縁保持部１１側に向かって漸次大きくなるように設定されてある。このように設定することで、種々の大きさの携帯型端末に柔軟に対応し得るようになっている。
【００２９】
端縁保持部１１は、スマートフォンＰの外周端縁ｅを支持し得る環状ないし筒状の伸縮性を有した部位である。端縁保持部１１は、その伸張した後の収縮力を利用して外周端縁ｅを囲繞して支持するようになっている。
【００３０】
補助具本体１には、厚み方向に連通するスリットｓｌが形成されている。この実施形態では、スリットｓｌがＶ字状をなしており、補助具本体１における下壁ｗ１の前後方向中央部に設けられている。Ｖ字状のスリットｓｌは、その鋭角部分が、端縁保持部１１側に向くように形成されている。このスリットｓｌは、スマートフォンＰの画面を手指で操作することができるように、手指を外部から観賞空間ｓｐに入れられるようにするためのものである。
【００３１】
開口端部１２は、画像を観賞する者Ｈの顔部が添接し得る背面視環状の部位であり当該顔部が接することにより、観賞空間ｓｐへの光の侵入が抑制され得るようになっている。開口端部１２は、平面視において顔部に対応した凹陥状をなしている。開口端部１２は、左右に対をなして後方に向かって突設された横覆い部分１２１と、これら対をなす横覆い部分１２１間に形成された２本のスリット１２２とを備えている。
【００３２】
横覆い部分１２１は、左右の側壁ｗ２に設けられている。横覆い部分１２１は、装着状態（Ｓ）において、画像を観賞する者Ｈにおける目の外側方に位置し、観賞空間ｓｐへの光の侵入を抑制するものである。
【００３３】
二本のスリット１２２は、上壁ｗ１の左右に設けられたものであり、前後方向に延びている。これらスリット１２２は、ゴーグル部材２に形成された係合凸部２２２を支持するためのものである。すなわち、スリット１２２は、ゴーグル部材２におけるレンズ支持体２２の上部に上向きに突設された係合凸部２２２を通過させて、当該係合凸部２２２の基端部と係わり合うようになっている。スリット１２２は、前後方向に延びているものであるため、係合凸部２２２との係合位置を前後方向に調整可能になっている。このため、使用者は、スマートフォンＰとレンズ２１との距離を、スリット１２２と係合凸部２２２の係合位置を変えることによって微調整できるようになっている。
【００３４】
ゴーグル部材２は、スマートフォンＰの画像を拡大して観賞するためのものである。ゴーグル部材２は、レンズ２１と、このレンズ２１を支持するレンズ支持体２２とを主体に構成されている。
【００３５】
レンズ２１は、画像を観賞する者Ｈの両目に対応した二つの凸型のレンズ本体２１１と、これらレンズ本体２１１を支持する共通のベースプレート２１２とを備えている。
【００３６】
なお、図中において、レンズ２１については、把握の便宜のため、網掛け表示している。レンズ２１を支持しているレンズ支持体２２は、補助具本体１と同一のシート体により構成されている。レンズ支持体２２は、開口端部１２の内側に位置し、外部からの光の侵入を抑制し、観賞空間ｓｐを暗くする効果も発揮する。レンズ支持体２２は、その下端部が補助具本体１と一体に接続している。換言すれば、補助具本体１とレンズ支持体２２とは、図５に示すように、一枚のシート体により作られたものである。
【００３７】
レンズ支持体２２は、レンズ本体２１１を配するための二つの貫通孔２２１を備えている。レンズ支持体２２は、上側に左右に対をなして突設された係合凸部２２２を備えている。これら係合凸部２２２が、補助具本体１に設けられたスリット１２２に係わり合うことにより、ゴーグル部材２の上端縁部が、補助具本体１の上壁ｗ３側に位置するようになっている。レンズ支持体２２は、対をなす貫通孔２２１の間に、レンズ２１を支持するための二本のスリット２２３が設けられている。二本のスリット２２３には、それぞれレンズ２１が挿入される。そして、レンズ２１におけるベースプレート２１２が、二本のスリット２２３と係わり合うようになっている。こうすることで、レンズ２１は、レンズ支持体２２に対して保持されている。
【００３８】
次いで、この観賞補助具Ａの使用例の一例を説明する。
【００３９】
はじめに、装着前状態（Ｔ）の観賞補助具Ａと、この観賞補助具Ａを装着するスマートフォンＰを準備する。続いて、この装着前状態（Ｔ）の観賞補助具Ａを、次のようにして、スマートフォンＰに装着する。
【００４０】
まず、使用者等の手指を利用して、筒状の補助具本体１における端縁保持部１１を一時的に外側に（端縁保持部１１の内側の空間を拡張させる方向に）伸張させる。このようにすることで、補助具本体１における端縁保持部１１付近の内側の空間は一時的に拡開することになる。
【００４１】
次いで、装着されるべきスマートフォンＰを一時的に拡開された端縁保持部１１内の空間に姿勢を整えて配置する。
【００４２】
しかる後に、端縁保持部１１に対する一時的な外側への伸張の操作を終了する。そうすると、一時的に伸張していた補助具本体１の端縁保持部１１が、元の状態に復帰するべく収縮し、その収縮力を利用してスマートフォンＰの外周端縁ｅを取り囲み、締め付けるようにして略外周端縁ｅの全周を保持することになる。
【００４３】
その後、適宜の組み立て順序により、ゴーグル部材２を、図２等に示すような状態にする。
【００４４】
以上のようにして、スマートフォンＰに観賞補助具Ａが装着されることになる。なお、上述したスマートフォンＰに対する装着手順等は、単なる一例であって、これに限られるものではないことはもちろんのことである。例えば、環状ないし筒状をなした端縁保持部１１の内部にスマートフォンＰを押し込むようにして端縁保持部１１を拡開させつつ所定の位置にスマートフォンＰを位置させるようにしても良い。
【００４５】
以上説明したように、本実施形態に係る観賞補助具Ａは、携帯型端末であるスマートフォンＰにおけるディスプレイＤの前側に外部からの光の侵入が抑制された観賞空間ｓｐを形成し、その観賞空間ｓｐを介してディスプレイＤに表示される画像を観賞するためのものである。そして、観賞補助具Ａを構成する補助具本体１が、伸張性及び収縮性を有したシート体を主体に構成され、スマートフォンＰの外周端縁ｅに装着されるとともに装着状態（Ｓ）において内部に観賞空間ｓｐを形成した筒状をなしている。補助具本体１は、装着状態（Ｓ）においてスマートフォンＰの外周端縁ｅと係わり合う端縁保持部１１と、画像を観賞する者Ｈの顔部が添接し得る開口端部１２とを備えている。補助具本体１の端縁保持部１１は、当該端縁保持部１１における収縮力を利用してスマートフォンＰの外周端縁ｅを囲繞して支持するようにしている。このため、スマートフォンＰを好適に支持することができる観賞補助具Ａを提供することができるものとなる。
【００４６】
つまり、観賞補助具Ａを構成する補助具本体１が、伸縮性を有したシート体を主体に構成されているものであり、当該補助具本体１の端縁保持部１１が、その収縮力を利用してスマートフォンＰの外周端縁ｅを取り囲んで支持するようにしている。このため、スマートフォンＰの外周端縁ｅを好適に保持することができるものとなっている。
【００４７】
観賞補助具Ａは、補助具本体１における端縁保持部１１の収縮力によってスマートフォンＰの外周端縁ｅを保持するようにしているため、端縁保持部１１と外周端縁ｅとの間に隙間ができるのを好適に抑制することができる。
【００４８】
観賞補助具Ａは、補助具本体１における端縁保持部１１の収縮力によってスマートフォンＰの外周端縁ｅを保持するようにしているため、大きさや形状の異なるスマートフォンやその他の携帯型端末を好適に支持することができるものとなる。
【００４９】
観賞補助具Ａは、ゴーグル部材２を備えている。ゴーグル部材２は、画像を拡大して観賞するためのレンズ２１、及び、このレンズ２１を支持するレンズ支持体２２とを有したものである。レンズ支持体２２は、補助具本体１と同一のシート体を主体に構成されたものであり、且つ、補助具本体１と一体に連続して形成されている。このため、画像を観賞する者Ｈは、スマートフォンＰから映し出された画像をレンズ２１を介して拡大した状態で見ることができるものとなる。そのため、この観賞補助具Ａは、画像を観賞する者Ｈに、一層の臨場感のある画像を視認させ得るものとなる。その結果、観賞補助具Ａは、画像を観賞する者Ｈに対して高い没入感を与え得るものとなる。
【００５０】
ゴーグル部材２のレンズ支持体２２が、補助具本体と１同一のシート体を主体に構成されたものであり、且つ、当該補助具本体１と一体に連続して形成されているものである。このため、観賞補助具Ａは、部品点数の増加が抑制されたものとなり、レンズ支持体２２の紛失も抑制されるものとなる。
【００５１】
補助具本体１やレンズ支持体２２を形成しているシート体が、厚み寸法が５ｍｍ〜１２ｍｍの範囲に設定されたシート状をなす軟質ポリウレタンフォームにより作られている。このため、補助具本体１やレンズ支持体２２が、一定のシート性の張りを保持し得るとともに所要の伸張性及び収縮性を好適に発揮し得るものとなる。しかも、使用者が、補助具本体１を手に持った際に、スマートフォンＰの存在を補助具本体１を介して触覚的に感得し易いものとなる。このため、観賞補助具Ａは、図６に示すように、使用者に対して、スマートフォンＰを間接的に把持しているという感覚を与えやすいものとなり、且つ、使用中にスマートフォンＰが補助具本体１から離脱して落下してしまうのではないかという不安感を生じ難くさせるものとなっている。
【００５２】
観賞補助具Ａは、シート体により構成された補助具本体１を介してスマートフォンＰの外周端縁ｅに設けられた音量調節ボタンｂ等の操作部を押圧操作することができるものとなり、使用者の利便性が向上するものとなる。
【００５３】
観賞補助具Ａは、使用していない場合には、補助具本体１やレンズ支持体２２を圧縮して通常の非圧縮状態と比較して小さくすることができる。このため、補助具本体１やレンズ支持体２２は、図７に示すように、比較的小型の容器Ｙの内部空間に収納させることができるものとなる。図７に示す容器Ｙは、２つの容器構成要素から構成された開閉可能なカプセル状のものであり、嵩張ることなくカバンやバッグ等に無理なく入れられるものである。この容器Ｙには、補助具本体１やレンズ支持体２２のみならず、レンズ２１も収納させ得るものとなっている。このため、この観賞補助具Ａであれば、、不使用時においても嵩張ることが好適に抑制され、いつでも使用に供し得るように気軽に持ち運びやすいものとなる。
【００５４】
なお、本発明は、以上に詳述した実施形態に限られるものではない。
【００５５】
補助具本体は、装着前状態及び装着状態において、筒状をなしているものを示したが、このようなものには限定されない。補助具本体は、ファスナーやボタン等を利用した連結具を利用して、シート状に展開された状態と筒状に形成された状態とを適宜切り換え得るように構成したものであってもよい。
【００５６】
ゴーグル部材は、必ずしも必須の構成ではない。すなわち、補助具本体を主たる構成部材として、観賞補助具を構成してもよい。
【００５７】
その他、各部の具体的構成についても上記実施形態に限られるものではなく、本発明の趣旨を逸脱しない範囲で種々変形が可能である。
【符号の説明】
【００５８】
Ａ…観賞補助具
１…補助具本体
２…ゴーグル部材
Ｐ…携帯型端末（スマートフォン）
【図１】
2017021189.tif 000003
【図２】
2017021189.tif 000004
【図３】
2017021189.tif 000005
【図４】
2017021189.tif 000006
【図５】
2017021189.tif 000007
【図６】
2017021189.tif 000008
【図７】
2017021189.tif 000009